(57)【要約】【課題】カラーフィルター配列の異なる複数の撮像素子を使用する場合においても、システムを大型化することなく安価なＤＳＰを使用することができ、コンパクトで低コストの電子内視鏡装置を提供する。【解決手段】電子内視鏡装置は、被写体像を撮像して所定のフォーマットで生成された撮像信号を出力する、カラーフィルターを有する撮像素子１と、所定のフォーマットの撮像信号を特定のフォーマットの撮像信号に変換するフォーマット変換手段４と、フォーマット変換手段から出力された特定のフォーマットの撮像信号を、表示装置に表示可能な映像信号に変換する信号処理手段５とを備えている。【選択図】図１
2006015077.tif 000002
【特許請求の範囲】
【請求項１】
被写体像を撮像して所定のフォーマットで生成された撮像信号を出力する、カラーフィルターを有する撮像素子と、
前記所定のフォーマットの撮像信号を、特定のフォーマットの撮像信号に変換するフォーマット変換手段と
前記フォーマット変換手段から出力された、前記特定のフォーマットの撮像信号を、表示装置に表示可能な映像信号に変換する信号処理手段と
を備えたことを特徴とする電子内視鏡装置。
【発明の詳細な説明】
【技術分野】
【０００１】
本発明は、電子内視鏡装置に関し、特に、種類の異なる複数の撮像素子からの撮像信号を一つのプロセッサーで処理する電子内視鏡装置に関する。
【背景技術】
【０００２】
近年、体腔内に細長の挿入部を挿入することにより、体腔内臓器等を観察したり、必要に応じて処置具チャンネル内に挿通した処置具を用いたりして各種治療処置のできる電子内視鏡装置が広く利用されている。また、工業用の分野においても、ボイラ、タービン、エンジン、化学プラント等の内部の傷や腐食等の観察、検査に工業用電子内視鏡装置が広く用いられている。
【０００３】
電子内視鏡装置では、一般的に、ＣＣＤなどの撮像素子により生成された被写体の撮像信号を、プロセッサーで映像信号に変換してモニターに表示する。近年、主に民生用TVシステム向けの映像信号用のデジタルシグナルプロセッサー（以下、ＤＳＰと示す）が開発されており、電子内視鏡装置でも映像に特化したプロセッサーとしてＤＳＰが使用されるようになってきた。
【０００４】
このようなＤＳＰを用いた電子内視鏡装置における撮像信号の処理について、図４を用いて説明する。図４は、従来の電子内視鏡装置における、撮像信号処理回路を示すブロック図である。まず、タイミングジェネレータ１０１においてＣＣＤ１０２を駆動させる信号が生成され、ＣＣＤ１０２へ出力される。ＣＣＤ１０２では受信した駆動信号のタイミングに従って被写体の像が光電変換され、撮像信号が生成される。生成された撮像信号は、タイミングジェネレータ１０１から出力される読み出し信号に従って、ＣＣＤ１０２からＣＤＳ回路１０３へ出力される。ＣＤＳ回路１０３では、受信した撮像信号からノイズが除去されて、ベースバンドの撮像信号に変換された後、Ａ／Ｄ変換器１０４へ出力される。Ａ／Ｄ変換器１０４では、受信したベースバンドの撮像信号がデジタル信号化され、ＤＳＰ１０５へ出力される。ＤＳＰ１０５では、受信したデジタル信号に対して、色分離、輝度信号生成、ホワイトバランス、エンハンス、ＡＧＣなどの信号処理が施されて、映像信号が生成される。生成された映像信号は、ＤＳＰ１０５からモニター１０６へ出力され、表示される。
【０００５】
近年、医療現場では、内視鏡医学の発展に伴い観察部位が複雑多岐に渡り、観察部位に対応した撮像素子を設けた電子内視鏡装置が求められている。このため、観察部位や観察目的に応じた複数の異なる撮像素子を使用可能な電子内視鏡装置を用いて、様々な観察や治療などに対応するようにしている。また、工業用の電子内視鏡システムにおいても、観察対象となる配管などの径寸法が太いものから細いものまで様々あるので、径寸法や検査目的に対応させるために、複数の異なる撮像素子を使用可能な電子内視鏡装置を用いて、様々な検査に対応するようにしている。
【０００６】
このような、種類の異なる撮像素子から出力される撮像信号を一つのプロセッサーで処理するためには、プロセッサー内部に、個々の撮像素子の特性に合わせた追加の処理回路が必要となる。その結果、プロセッサー内の回路規模が大きくなってしまうという問題があった。これを解決するものとして、撮像素子であるＣＣＤに適当な位相の駆動信号を与え、ＣＣＤから出力される撮像信号を一つのプロセッサーで共通の信号処理できるようにした電子内視鏡装置が提案されている（例えば、特許文献１）。
【特許文献１】特開２００２−１９９２９１号（図２）
【発明の開示】
【発明が解決しようとする課題】
【０００７】
しかし、その提案においては、カラーフィルター配列が異なる撮像素子から出力される撮像信号については、一つのプロセッサーで処理できないという問題があった。また、ＤＳＰは、特定の撮像素子向けに開発されているために、カラーフィルター配列の異なる撮像素子から出力される撮像信号を処理することができない。このため、種類の異なる複数の撮像素子を使用する電子内視鏡装置では、同じＤＳＰ等の信号処理回路を使用することができず、システムが高価になってしまうという問題があった。
【０００８】
そこで、本発明においては、カラーフィルター配列の異なる複数の撮像素子を使用する場合においても、システムを大型化することなく同じＤＳＰ等の信号処理回路を使用することができ、コンパクトで低コストの電子内視鏡装置を提供することを目的とする。
【課題を解決するための手段】
【０００９】
本発明の電子内視鏡装置は、被写体像を撮像して所定のフォーマットで生成された撮像信号を出力する、カラーフィルターを有する撮像素子と、所定のフォーマットの撮像信号を特定のフォーマットの撮像信号に変換するフォーマット変換手段と、フォーマット変換手段から出力された特定のフォーマットの撮像信号を、表示装置に表示可能な映像信号に変換する信号処理手段とを備えている。
【発明の効果】
【００１０】
カラーフィルター配列の異なる複数の撮像素子を使用する場合においても、システムを大型化することなく同じＤＳＰ等の信号処理回路を使用することができ、コンパクトで低コストの電子内視鏡装置を実現することができる。
【発明を実施するための最良の形態】
【００１１】
以下、図面を参照して本発明の実施の形態を説明する。
【００１２】
まず、図１に基づき、本発明の実施の形態に係わる電子内視鏡装置の特徴である、撮像信号処理回路の構成について説明する。図１は本発明の実施の形態に係わる電子内視鏡装置の撮像信号処理回路を示すブロック図である。図１に示すように、本実施の形態の電子内視鏡装置における撮像信号の処理回路は、撮像素子としてのＣＣＤ１と、ＣＤＳ回路２と、Ａ／Ｄ変換器３と、フォーマット変換手段としてのカラー配列変換回路４と、信号処理手段としてのＤＳＰ５と、モニター６と、タイミングジェネレータ７とから構成される。ＣＣＤ１は、被写体の反射光を結像させて光電変換させ、撮像信号を生成する。ＣＤＳ回路２は、ＣＣＤ１から出力される撮像信号からノイズを除去してベースバンドの撮像信号へ変換する。Ａ／Ｄ変換器３は、ＣＤＳ回路２から出力されるベースバンド化されたアナログの撮像信号をデジタル変換する。カラー配列変換回路４は、Ａ／Ｄ変換器３から出力されたデジタル化された撮像信号の配列を変換する。ＤＳＰ５は、カラー配列変換回路４から出力された配列変換後の撮像信号から映像信号を生成する。モニター６は、ＤＳＰ５から出力された映像信号を表示する。タイミングジェネレータ７は、ＣＣＤ１において撮像信号を生成するタイミングを制御する駆動信号や、ＣＣＤ１から撮像信号を出力するタイミングを制御する読み出し信号などを生成してＣＣＤ１へ出力する。
【００１３】
ＣＣＤ１は、一つの画素に対して一色のカラーフィルターが掛けられている、いわゆる１ＣＣＤ方式のＣＣＤである。ここで、図２（ａ）に示すように、ＣＣＤ１のカラーフィルターは、シアン（以下、Ｃｙと示す）、イエロー（以下、Ｙｅと示す）、グリーン（以下、Ｇと示す）、マゼンダ（以下、Ｍｇと示す）の四色のフィルタからなる補色フィルタ４ライン配列であり、第一ラインにＣｙ、Ｙｅを、第二ラインにＧ、Ｍｇを、第三ラインにＣｙ、Ｙｅを、第四ラインにＭｇ、Ｇを、この順番に配置して構成されている。図２（ａ）は、ＣＣＤ１のカラーフィルター配列を説明する図である。
【００１４】
上述のように構成された、電子内視鏡装置の撮像信号処理回路の作用について説明する。ＣＣＤ１では、タイミングジェネレータ７から受信する駆動信号に従って、光電変換された被写体の撮像信号が生成される。生成された撮像信号は、タイミングジェネレータ７から受信する読み出し信号に従って、ＣＣＤ１からＣＤＳ回路２へ出力される。ここで、ＣＣＤ１からの撮像信号の読み出しはインターレース方式で行われ、１ライン目、３ライン目、５ライン目、・・・の画素が奇数フィールドに属し、２ライン目、４ライン目、６ライン目、・・・の画素が偶数フィールドに属している。また、垂直方向に隣接している２画素の電荷が足し合わせられて出力される。すなわち、奇数フィールドの奇数ラインＡｏは、Ｃｙ＋Ｇ、Ｙｅ＋Ｍｇ、Ｃｙ＋Ｇ・・・の順に撮像信号が読み出され、奇数フィールドの偶数ラインＡｅは、Ｃｙ＋Ｍｇ、Ｙｅ＋Ｇ、Ｃｙ＋Ｍｇ・・・の順に撮像信号が読み出される。また、偶数フィールドの奇数ラインＢｏは、Ｇ＋Ｃｙ、Ｍｇ＋Ｙｅ、Ｇ＋Ｃｙ・・・の順に撮像信号が読み出され、偶数フィールドの偶数ラインＢｅは、Ｍｇ＋Ｃｙ、Ｇ＋Ｙｅ、Ｍｇ＋Ｃｙ・・・の順に撮像信号が読み出される。ここで、Ｃｙ＋Ｇ＝Ｇｂ、Ｙｅ＋Ｍｇ＝Ｗｒ、Ｃｙ＋Ｍｇ＝Ｗｂ、Ｙｅ＋Ｇ＝Ｇｒとすると、次に示す順序でＣＣＤ１から撮像信号が読み出される。
【００１５】
奇数フィールドの奇数ラインＡｏ：Ｇｂ、Ｗｒ、Ｇｂ、Ｗｒ、Ｇｂ、・・・
奇数フィールドの偶数ラインＡｅ：Ｗｂ、Ｇｒ、Ｗｂ、Ｇｒ、Ｗｂ、・・・
偶数フィールドの奇数ラインＢｏ：Ｇｂ、Ｗｒ、Ｇｂ、Ｗｒ、Ｇｂ、・・・
偶数フィールドの偶数ラインＢｅ：Ｗｂ、Ｇｒ、Ｗｂ、Ｇｒ、Ｗｂ、・・・
読み出された撮像信号は、ＣＤＳ回路２でノイズを除去されてベースバンドの撮像信号に変換された後、Ａ／Ｄ変換器３でデジタル信号に変換されて、カラー配列変換回路４へ出力される。
【００１６】
ここで、カラー配列変換回路の回路構造について説明する。図３は、カラー配列変換回路の回路構造を説明するブロック図である。カラー配列変換回路４は、図３に示すように、受信した信号を１クロック分ラッチする第一のＤラッチ１１、及び、第二のＤラッチ１２と、補間用の加算回路１３と、１／２演算回路１４と、セレクタ回路１５から構成される。カラー配列変換回路４では、受信されたデジタル信号に対して二通りの変換を施すことができる。第一の変換方法は、受信したデジタル信号を、第一のＤラッチ１１で１クロック分ラッチし、セレクタ回路１５を通じてＤＳＰ５へ出力するものである。第二の変換方法は次の通りである。まず、受信したデジタル信号を、第一のＤラッチ１１と加算回路１３に入力する。第一のＤラッチ１１では、受信したデジタル信号を１クロック分ラッチし、第二のＤラッチ１２に出力する。第二のＤラッチ１２では、受信したデジタル信号を更に１クロック分ラッチし、補間用の加算回路１３へ出力する。加算回路１３では、元のデジタル信号と、２クロック分ラッチされたデジタル信号とを加算し、１／２演算回路１４へ出力する。１／２演算回路では、元のデジタル信号とレベルを合わせるために、受信したデジタル信号のレベルを１／２に減じ、セレクタ回路１５を通じてＤＳＰ５に出力する。第一の変換方法を用いた場合、ＤＳＰ５へ出力される信号の順番は、カラー配列変換回路４が受信した信号の順番と同じ順番になる。一方、第二の変換方法を用いると、Ｇｂ、Ｗｒ、Ｇｂ、・・・、もしくはＷｂ、Ｇｒ、Ｗｂ、・・・の順番でカラー配列変換回路４が受信した信号は、Ｗｒ、Ｇｂ、Ｗｒ、・・・、もしくはＧｒ、Ｗｂ、Ｇｒ、・・・のように前後の順番を入れ替えてＤＳＰ５へ出力される。
【００１７】
図２（ａ）に示すカラーフィルターにが対応するＣＣＤ１の場合、カラー配列変換回路４では、上述した第一の変換方法により、Ａ／Ｄ変換器３から受信したデジタル信号が、順番を変換されることなくそのままＤＳＰ５へ出力される。ＤＳＰ５では、受信したデジタル信号に対して、色分離、輝度信号生成、ホワイトバランス、エンハンス、ＡＧＣなどの信号処理が施されて、映像信号が生成される。生成された映像信号は、モニター６へ出力されて表示される。
【００１８】
次に、ＣＣＤ１とカラーフィルター配列の異なるＣＣＤ２１により被写体を観察する場合について説明する。図２（ｂ）に示すように、ＣＣＤ２１のカラーフィルターは、ＣＣＤ１と同様に、Ｃｙ、Ｙｅ、Ｇ、Ｍｇの四色のフィルタからなる補色フィルタ４ライン配列であるが、ＣＣＤ１とは色の配置が異なり、第１ラインにＣｙ、Ｙｅを、第２ラインにＭｇ、Ｇを、第３ラインにＹｅ、Ｃｙを、第４ラインにＭｇ、Ｇを、この順番に配置して構成されている。図２（ｂ）は、ＣＣＤ２１のカラーフィルター配列を説明する図である。尚、撮像信号処理回路の構成は、図１においてＣＣＤ１をＣＣＤ２１に置き換えれば全く同じ構成であるので説明を省略する。
【００１９】
上述のように構成された、電子内視鏡装置の撮像信号処理回路の作用について説明する。ＣＣＤ２１では、タイミングジェネレータ７から受信する駆動信号に従って、光電変換された被写体の撮像信号が生成される。生成された撮像信号は、タイミングジェネレータ７から受信する読み出し信号に従って、ＣＣＤ２１からＣＤＳ回路２へ出力される。ＣＣＤ２１からの撮像信号の読み出しはＣＣＤ１と同様にインターレース方式で行われ、垂直方向に隣接している２画素の電荷が足し合わせられて出力される。ここで、タイミングジェネレータ７から出力されるフィールド判定パルスは、ＣＣＤ１を駆動する場合に対し、ＣＣＤ側とＤＳＰで入れ替えてドライブされており、奇数フィールドの奇数ラインＡｏ１の撮像信号は偶数フィールドの偶数ラインＢｅ１´に、奇数フィールドの偶数ラインＡｅ１の撮像信号は偶数フィールドの奇数ラインＢｏ１´に、偶数フィールドの奇数ラインＢｏ１の撮像信号は奇数フィールドの奇数ラインＡｏ１´に、偶数フィールドの偶数ラインＢｅ１の撮像信号は奇数フィールドの偶数ラインＡｅ１´にそれぞれみなされて、出力される。
【００２０】
すなわち、Ｍｇ＋Ｙｅ、Ｇ＋Ｃｙ、Ｍｇ＋Ｙｅ・・・の順に撮像信号が読み出される偶数フィールドの奇数ラインＢｏ１が、奇数フィールドの奇数ラインＡｏ１´としてみなされる。また、Ｍｇ＋Ｃｙ、Ｇ＋Ｙｅ、Ｍｇ＋Ｃｙ・・・の順に撮像信号が読み出される偶数フィールドの偶数ラインＢｅ１が、奇数フィールドの偶数ラインＡｅ１´としてみなされる。更に、Ｙｅ＋Ｍｇ、Ｃｙ＋Ｇ、Ｙｅ＋Ｍｇ・・・の順に撮像信号が読み出される奇数フィールドの偶数ラインＡｅ１が、偶数フィールドの奇数ラインＢｏ１´としてみなされる。更に、Ｃｙ＋Ｍｇ、Ｙｅ＋Ｇ、Ｃｙ＋Ｍｇ・・・の順に撮像信号が読み出される奇数フィールドの奇数ラインＡｏ１が、偶数フィールドの偶数ラインＢｅ１´としてみなされる。上述のみなし操作は、ＣＣＤ２１の最初の１ライン目の画素がないものとして取り扱われるのと同等の操作であり、画素の行並びの連続性は失われない。よって、みなし操作によって画像が入れ子になることはない。ここで、Ｃｙ＋Ｇ＝Ｇｂ、Ｙｅ＋Ｍｇ＝Ｗｒ、Ｃｙ＋Ｍｇ＝Ｗｂ、Ｙｅ＋Ｇ＝Ｇｒとすると、次に示す順序でＣＣＤ２１から撮像信号が読み出される。
【００２１】
奇数フィールドの奇数ラインＡｏ１´：Ｗｒ、Ｇｂ、Ｗｒ、Ｇｂ、Ｗｒ、・・・
奇数フィールドの偶数ラインＡｅ１´：Ｗｂ、Ｇｒ、Ｗｂ、Ｇｒ、Ｗｂ、・・・
偶数フィールドの奇数ラインＢｏ１´：Ｗｒ、Ｇｂ、Ｗｒ、Ｇｂ、Ｗｒ、・・・
偶数フィールドの偶数ラインＢｅ１´：Ｗｂ、Ｇｒ、Ｗｂ、Ｇｒ、Ｗｂ、・・・
読み出された撮像信号は、ＣＤＳ回路２でノイズを除去されてベースバンドの撮像信号に変換された後、Ａ／Ｄ変換器３でデジタル信号に変換されて、カラー配列変換回路４へ出力される。
【００２２】
カラー配列の変換方法は、奇数ラインと偶数ラインとで異なる。偶数ラインのデジタル信号は、ＣＣＤ１の場合と同様に第一の変換方法を用い、カラー配列変換回路４が受信した順番のままでＤＳＰ５へ出力される。ここで、カラー配列変換回路４が受信したデジタル信号の順番をカラー毎に明確にするために、１番目に受信したＷｂをＷｂ１、２番目に受信したＷｂをＷｂ２・・・のように、カラーを示す記号の後に順番を付して記すと、Ｗｂ１、Ｇｒ１、Ｗｂ２、Ｇｒ２、Ｗｂ３、・・・の順で入力された奇数フィールドの偶数ラインＡｅ１´のデジタル信号は、Ｄラッチ１１で１クロック分ラッチされて、Ｗｂ１、Ｇｒ１、Ｗｂ２、Ｇｒ２、Ｗｂ３、・・・の順にセレクタ回路１５へ出力される。同様に、Ｗｂ１、Ｇｒ１、Ｗｂ２、Ｇｒ２、Ｗｂ３、・・・の順で入力された偶数フィールドの偶数ラインＢｅ１´のデジタル信号は、Ｄラッチ１１で１クロック分ラッチされて、Ｗｂ１、Ｇｒ１、Ｗｂ２、Ｇｒ２、Ｗｂ３、・・・の順にセレクタ回路１５へ出力される。
【００２３】
一方、奇数ラインのデジタル信号は、第二の変換方法を用いて、ＷｒとＧｂの順番が入れ替えられて、ＤＳＰ５へ出力される。すなわち、奇数フィールドの奇数ラインＡｏ１´のデジタル信号は、Ｗｒ１、Ｇｂ１、Ｗｒ２、Ｇｂ２、Ｗｒ３、・・・の順で第一のＤラッチ１１と加算回路１３に入力される。第一のＤラッチ１１では、受信したデジタル信号を１クロック分ラッチし、第二のＤラッチ１２に出力する。第二のＤラッチ１２では、受信したデジタル信号を更に１クロック分ラッチし、加算回路１３へ出力する。加算回路１３では、元のデジタル信号と、２クロック分ラッチされたデジタル信号とを加算し、１／２演算回路１４へ出力する。１／２演算回路１４では、元のデジタル信号とレベルを合わせるために、受信したデジタル信号のレベルを１／２に減じてセレクタ回路１５へ出力する。以上の処理により、Ｗｒ１、Ｇｂ１、Ｗｒ２、Ｇｂ２、Ｗｒ３、・・・の順に入力された奇数フィールドの奇数ラインＡｏ１´デジタル信号は、（Ｇｂ１＋Ｇｂ２）／２、（Ｗｒ１＋Ｗｒ２）／２、（Ｇｂ２＋Ｇｂ３）／２、（Ｗｒ２＋Ｗｒ３）／２、・・・の順番に補間されて、セレクタ回路１５へ出力される。同様に、Ｗｒ１、Ｇｂ１、Ｗｒ２、Ｇｂ２、Ｗｒ３、・・・の順に入力された偶数フィールドの奇数ラインＢｏ１´のデジタル信号は、（Ｇｂ１＋Ｇｂ２）／２、（Ｗｒ１＋Ｗｒ２）／２、（Ｇｂ２＋Ｇｂ３）／２、（Ｗｒ２＋Ｗｒ３）／２、・・・の順番に補間されて、セレクタ回路１５へ出力される。
【００２４】
セレクタ回路１５では、ライン判別信号に基づき、奇数フィールドの奇数ラインＡｏ１´及び奇数フィールドの偶数ラインＡｅ１´の場合は、１／２演算回路１４からの出力が選択され、偶数フィールドの奇数ラインＢｏ１´及び偶数フィールドの偶数ラインＢｅ１´の場合は、Ｄラッチ１１からの出力が選択されて、ＤＳＰ５へ出力される。以上より、カラー配列変換回路４からは、次に示すカラーの順序でデジタル信号が出力される。
【００２５】
奇数フィールドの奇数ラインＡｏ１´：Ｇｂ、Ｗｒ、Ｇｂ、Ｗｒ、Ｇｂ、・・・
奇数フィールドの偶数ラインＡｅ１´：Ｗｂ、Ｇｒ、Ｗｂ、Ｇｒ、Ｗｂ、・・・
偶数フィールドの奇数ラインＢｏ１´：Ｇｂ、Ｗｒ、Ｇｂ、Ｗｒ、Ｇｂ、・・・
偶数フィールドの偶数ラインＢｅ１´：Ｗｂ、Ｇｒ、Ｗｂ、Ｇｒ、Ｗｂ、・・・
出力されたデジタル信号のカラー配列のフォーマットは、ＣＣＤ１の場合におけるデジタル信号のカラー配列のフォーマットと同じであるため、ＤＳＰ５では、受信したデジタル信号を処理することができる。よって、ＤＳＰ５では、ＣＣＤ１の場合と同様に、受信したデジタル信号に対して、色分離、輝度信号生成、ホワイトバランス、エンハンス、ＡＧＣなどの信号処理が施されて、映像信号が生成される。生成された映像信号は、モニター６へ出力されて表示される。
【００２６】
このように、本実施の形態の電子内視鏡装置では、ＣＣＤ１と異なるカラーフィルター配列を有するＣＣＤ１１から読み出された撮像信号を、カラー配列変換回路４及びタイミングジェネレータ７のフィールド判定パルスの操作により、ＣＣＤ１から読み出された撮像信号と同じカラー配列フォーマットに変換することが可能となり、ＣＣＤ１に特化したＤＳＰ５でＣＣＤ１とＣＣＤ１１の撮像信号を映像信号に変換処理することができるため、システムを大型化することなく低コスト化が図れる。
【００２７】
以上の実施の形態から、次の付記項に記載の点に特徴がある。
【００２８】
（付記項１）被写体像を撮像して第一のフォーマットで生成された第一の撮像信号を出力する第一のカラーフィルター配列を有する第一の撮像素子と、
前記第一の撮像素子から出力された前記第一の撮像信号を処理して映像信号を出力する信号処理手段と、
前記第一のカラーフィルター配列とは異なる第二のカラーフィルター配列を有し、前記被写体像を撮像して前記第一のフォーマットとは異なる第二のフォーマットで生成された第二の撮像信号を出力する撮像素子と、
前記第二の撮像素子で生成された前記第二の撮像信号を前記第一のフォーマットに変化し、前記第一のフォーマットで生成された前記第二の撮像信号を前記信号処理手段へ出力するフォーマット変換手段とを具備したことを特徴とする電子内視鏡装置。
【図面の簡単な説明】
【００２９】
【図１】本発明の実施の形態に係わる電子内視鏡装置の撮像信号処理回路を示すブロック図である。
【図２】（ａ）は、ＣＣＤのカラーフィルター配列を説明する図であり、（ｂ）は他のＣＣＤのカラーフィルター配列を説明する図である。
【図３】カラー配列変換回路の回路構造を説明するブロック図である。
【図４】従来の電子内視鏡装置における、撮像信号処理回路を示すブロック図である。
【符号の説明】
【００３０】
１    ＣＣＤ
２    ＣＤＳ回路
３    Ａ／Ｄ変換器
４    カラー配列変換回路
５    ＤＳＰ
６    モニター
７    タイミングジェネレータ
代理人    弁理士    伊  藤    進
【図１】
2006015077.tif 000003
【図２】
2006015077.tif 000004
【図３】
2006015077.tif 000005
【図４】
2006015077.tif 000006